【手続補正書】
【提出日】平成24年3月23日(2012.3.23)
【手続補正１】
【補正対象書類名】特許請求の範囲
【補正対象項目名】全文
【補正方法】変更
【補正の内容】
【特許請求の範囲】
【請求項１】
遊技媒体が流下可能な遊技領域へ遊技媒体を打込むことにより遊技が行なわれ、遊技媒体が第１始動領域を通過したことにもとづいて各々が識別可能な識別情報の可変表示を実行し表示結果を導出表示する第１可変表示手段、および遊技媒体が第２始動領域を通過したことにもとづいて各々が識別可能な識別情報の可変表示を実行し表示結果を導出表示する第２可変表示手段を備え、前記第１または第２可変表示手段に導出表示される表示結果が予め定められた特定表示結果となったときに、遊技状態を遊技者にとって有利な特定遊技状態に制御する遊技機であって、
前記遊技媒体が第１始動領域を通過したときに、前記特定遊技状態に制御するか否かを特定するための情報を所定の上限数の範囲内で保留記憶情報として記憶可能な第１保留記憶手段と、
前記遊技媒体が第２始動領域を通過したときに、前記特定遊技状態に制御するか否かを特定するための情報を所定の上限数の範囲内で保留記憶情報として記憶可能な第２保留記憶手段と、を備え、
前記特定遊技状態に制御されておらず、かつ、前記第１可変表示手段において前記識別情報の可変表示が実行されていないときに前記第１保留記憶手段に記憶された保留記憶情報にもとづいて前記第１可変表示手段の可変表示を実行し、前記特定遊技状態に制御されておらず、かつ、前記第２可変表示手段において前記識別情報の可変表示が実行されていないときに前記第２保留記憶手段に記憶された保留記憶情報にもとづいて前記第２可変表示手段の可変表示を実行する可変表示制御実行手段と、
前記特定遊技状態に制御する旨を示す保留記憶情報が前記第１保留記憶手段に記憶されているときに、当該保留記憶情報に基づく可変表示の開始以前に、当該保留記憶情報に基づく表示結果が前記特定表示結果となることを予告する予告演出を実行し、前記特定遊技状態に制御する旨を示す保留記憶情報が前記第２保留記憶手段に記憶されているときに、当該保留記憶情報に基づく可変表示の開始以前に、当該保留記憶情報に基づく表示結果が前記特定表示結果となることを予告する予告演出を実行する予告演出実行手段と、
所定条件の成立により前記第１および第２保留記憶手段のいずれか一方に記憶されている保留記憶情報に基づいた前記予告演出実行手段による予告演出の実行を禁止する予告禁止手段とを備えることを特徴とする、遊技機。
【手続補正２】
【補正対象書類名】明細書
【補正対象項目名】０００１
【補正方法】変更
【補正の内容】
【０００１】
本発明は、たとえば、パチンコ遊技機やコイン遊技機等で代表される遊技機に関し、詳しくは、遊技媒体が流下可能な遊技領域へ遊技媒体を打込むことにより遊技が行なわれ、遊技媒体が第１始動領域を通過したことにもとづいて各々が識別可能な識別情報の可変表示を実行し表示結果を導出表示する第１可変表示手段、および遊技媒体が第２始動領域を通過したことにもとづいて各々が識別可能な識別情報の可変表示を実行し表示結果を導出表示する第２可変表示手段を備え、前記第１または第２可変表示手段に導出表示される表示結果が予め定められた特定表示結果となったときに、遊技状態を遊技者にとって有利な特定遊技状態に制御する遊技機に関する。
【手続補正３】
【補正対象書類名】明細書
【補正対象項目名】０００６
【補正方法】変更
【補正の内容】
【０００６】
しかしながら、この従来の遊技機においては、著しく射幸心を煽るという不都合が生ずる。
【手続補正４】
【補正対象書類名】明細書
【補正対象項目名】０００７
【補正方法】変更
【補正の内容】
【０００７】
本発明は、係る実情に鑑み考え出されたものであり、その目的は、過度の射幸性を抑制することができる遊技機を提供することである。
【手続補正５】
【補正対象書類名】明細書
【補正対象項目名】０００８
【補正方法】変更
【補正の内容】
【０００８】
（１）  遊技媒体が流下可能な遊技領域（遊技領域７）へ遊技媒体を打込むことにより遊技が行なわれ、遊技媒体が第１始動領域（第１始動入賞口１３）を通過したことにもとづいて各々が識別可能な識別情報の可変表示を実行し表示結果を導出表示する第１可変表示手段（第１特別図柄表示器８ａ、演出表示装置９）、および遊技媒体が第２始動領域（第２始動入賞口１４）を通過したことにもとづいて各々が識別可能な識別情報の可変表示を実行し表示結果を導出表示する第２可変表示手段（第２特別図柄表示器９ａ、演出表示装置９）を備え、前記第１または第２可変表示手段に導出表示される表示結果が予め定められた特定表示結果（大当り図柄）となったときに、遊技状態を遊技者にとって有利な特定遊技状態（大当り）に制御する遊技機（パチンコ遊技機１）であって、
前記遊技媒体が第１始動領域を通過したときに、前記特定遊技状態に制御するか否かを特定するための情報（ランダムＲから抽出した値、当り判定結果）を所定の上限数の範囲内で保留記憶情報として記憶可能な第１保留記憶手段（図１７のＳ２１５）と、
前記遊技媒体が第２始動領域を通過したときに、前記特定遊技状態に制御するか否かを特定するための情報（ランダムＲから抽出した値、当り判定結果）を所定の上限数の範囲内で保留記憶情報として記憶可能な第２保留記憶手段（図１７のＳ２２６）と、を備え、
前記特定遊技状態に制御されておらず、かつ、前記第１可変表示手段において前記識別情報の可変表示が実行されていないときに前記第１保留記憶手段に記憶された保留記憶情報にもとづいて前記第１可変表示手段の可変表示を実行し、前記特定遊技状態に制御されておらず、かつ、前記第２可変表示手段において前記識別情報の可変表示が実行されていないときに前記第２保留記憶手段に記憶された保留記憶情報にもとづいて前記第２可変表示手段の可変表示を実行する可変表示制御実行手段（図１６のＳ３００〜Ｓ３０４、図５８のＳ８００〜Ｓ８０３）と、
前記特定遊技状態に制御する旨を示す保留記憶情報が前記第１保留記憶手段に記憶されているときに、当該保留記憶情報に基づく可変表示の開始以前に、当該保留記憶情報に基づく表示結果が前記特定表示結果となることを予告する予告演出を実行し、前記特定遊技状態に制御する旨を示す保留記憶情報が前記第２保留記憶手段に記憶されているときに、当該保留記憶情報に基づく可変表示の開始以前に、当該保留記憶情報に基づく表示結果が前記特定表示結果となることを予告する予告演出を実行する予告演出実行手段（図５７、図６３のＳ６７５〜Ｓ６８５、図６４、図６５、図６８）と、
所定条件の成立により前記第１および第２保留記憶手段のいずれか一方に記憶されている保留記憶情報に基づいた前記予告演出実行手段による予告演出の実行を禁止する予告禁止手段（図１７のＳ２１８ａとＳ２２９ａまたは図７１のＳ２１８ｂとＳ２２９ｂまたは図７２のＳ２１８ｃ）とを備える。
【手続補正６】
【補正対象書類名】明細書
【補正対象項目名】０００９
【補正方法】変更
【補正の内容】
【０００９】
このような構成によれば、所定条件の成立により第１および第２保留記憶のいずれか一方に記憶されている保留記憶情報に基づいた予告演出実行手段による先読み予告演出の実行が禁止される。その結果、射幸性が過度に高まる不都合を防止できる。
【手続補正７】
【補正対象書類名】明細書
【補正対象項目名】００１０
【補正方法】変更
【補正の内容】
【００１０】
（２）  上記（１）の遊技機において、前記第１および第２保留記憶手段に保留記憶情報が記憶されている場合は、前記第１保留記憶手段に記憶された保留記憶情報にもとづいた前記第１可変表示手段の可変表示よりも前記第２保留記憶手段に記憶された保留記憶情報にもとづいた前記第２可変表示手段の可変表示を優先して実行させ（図１９（Ａ）、Ｓ５２、Ｓ５４）、
前記遊技領域に設けられ、遊技媒体が前記第２始動領域に進入しないまたはしにくい第１状態と遊技媒体が当該第２始動領域に進入しやすい第２状態とに変化可能な可変入賞装置（可変入賞球装置１５）と、
前記可変入賞装置が前記第２状態になりやすい制御状態である高ベース状態または前記第２状態になりにくい制御状態である低ベース状態のいずれかに制御する状態切換手段（Ｓ１２２５、Ｓ１２４５〜Ｓ１２４７、図３７）とを有し、
前記予告禁止手段は、前記高ベース状態において前記第１保留記憶手段に記憶された保留記憶情報に基づいた前記予告演出実行手段による予告演出の実行を禁止する（予告演出の実行を禁止する状態となる所定条件の成立として、図１７のＳ２１８ａとＳ２２９ａ）。
【手続補正８】
【補正対象書類名】明細書
【補正対象項目名】００１３
【補正方法】変更
【補正の内容】
【００１３】
（３）  上記（１）または（２）の遊技機において、特別条件が成立したことに基づいて、通常遊技状態に比べ前記特定表示結果になりやすい特別遊技状態（確変）に遊技状態を制御する特別遊技状態制御手段（図８（Ａ）、Ｓ６１、Ｓ７１、Ｓ１５８、Ｓ１６１、Ｓ１６２、）をさらに備え、
前記予告禁止手段は、前記特別遊技状態では前記第１保留記憶手段に記憶された保留記憶情報に基づいた前記予告演出実行手段による予告演出の実行を禁止し、前記通常遊技状態では第２保留記憶手段に記憶された保留記憶情報に基づいた前記予告演出実行手段による予告演出の実行を禁止する（予告演出の実行を禁止する状態となる所定条件の成立として、図７１のＳ２１８ｂとＳ２２９ｂ）。
【手続補正９】
【補正対象書類名】明細書
【補正対象項目名】００１５
【補正方法】変更
【補正の内容】
【００１５】
（４）  上記（１）の遊技機において、特別条件が成立したことに基づいて、通常遊技状態に比べ前記特定表示結果になりやすい特別遊技状態に遊技状態を制御する特別遊技状態制御手段（Ｓ１６１）をさらに備え、
前記予告禁止手段は、
前記通常遊技状態においては前記予告演出実行手段による予告演出の実行を禁止せず、前記特別遊技状態において前記第１保留記憶手段に記憶された保留記憶情報に基づいた前記予告演出実行手段による予告演出の実行を禁止する（予告演出の実行を禁止する状態となる所定条件の成立として、図７２のＳ２１８ｃ）。
【手続補正１０】
【補正対象書類名】明細書
【補正対象項目名】００１７
【補正方法】変更
【補正の内容】
【００１７】
（５）  上記（１）〜（４）のいずれかの遊技機において、前記予告禁止手段は、前記予告演出実行手段が、前記第１または第２保留記憶手段に記憶された前記保留記憶情報に基づいて表示結果が前記特定表示結果となることを予告する予告演出を実行した場合、当該予告演出を実行した可変表示よりも後に実行される可変表示において前記予告演出が実行されることを禁止する後順予告演出禁止手段（図１７のＳ２１８あるいはＳ２２９でＹＥＳ、図５７のＳ６６１でＹＥＳ）を備えた。
【手続補正１１】
【補正対象書類名】明細書
【補正対象項目名】００１９
【補正方法】変更
【補正の内容】
【００１９】
（６）  上記（５）の遊技機において、前記後順予告演出禁止手段は、前記特定遊技状態が終了したことに基づいて前記予告演出の実行を禁止を解除する（図２８のＳ４４９ａで先読み大当りフラグをリセットし、図１６のＳ３０９で先読み小当りフラグをリセットする）。
【手続補正１２】
【補正対象書類名】明細書
【補正対象項目名】００２１
【補正方法】変更
【補正の内容】
【００２１】
（７）  上記（１）〜（６）のいずれかの遊技機において、実行する可変表示パターンを選択する可変表示パターン選択手段として、
前記可変表示パターンの種別を複数種別の中から選択する第１段階パターン選択手段（図２２のＳ１０１）と、
該第１段階パターン選択手段が選択した種別に属する複数種類の可変表示パターンの中から可変表示パターンを選択する第２段階パターン選択手段（図２２のＳ１０５）とを含む。
【手続補正１３】
【補正対象書類名】明細書
【補正対象項目名】００２３
【補正方法】変更
【補正の内容】
【００２３】
（８）  上記（１）〜（７）のいずれかの遊技機において、前記予告演出実行手段は、前記第１可変表示手段および前記第２可変表示手段における可変表示の実行中に当該可変表示において導出表示される表示結果が前記特定表示結果となることを予告する通常予告演出を実行可能であり（図４７および図４８、図６３のＳ６７６、Ｓ６７７、Ｓ６８１、Ｓ６８２）、
前記予告演出および前記通常予告演出を含む予告に用いる予告演出態様を予め定めた複数種類の中から選択する予告演出態様選択手段（図６３のＳ６７６、Ｓ６７７）を備え、
該予告演出態様選択手段は、
前記複数種類の予告演出態様を複数に分類した複数種類の中から一の種別を選択する第１段階演出態様選択手段（図６３のＳ６７６）と、
該第１段階演出態様選択手段が選択した種別に属する複数種類の予告演出態様の中から予告演出態様を選択する第２段階演出態様選択手段（図６３のＳ６７７）とを含む。